(57)【要約】【課題】ベビーカーの展開および集めが容易で快速になる折畳み可能なベビーカーを提供する。【解決手段】第１前脚１０ａと、第１後脚２０ａと、第２前脚１０ｂと、第２後脚２０ｂと、第１スライドブロック３０ａと、第２スライドブロック３０ｂと、後レバー組と、前レバー組と、第１連接ロッド６０ａと、第２連接ロッド６０ｂと、を含む。第１スライドブロックが第１後脚に摺動可能に設けられ、第２スライドブロックが第２後脚に摺動可能に設けられ、後レバー組は、第１後レバー４０ａと、第２後レバー４０ｂと、を含み、第１後レバーの上端が第１スライドブロックに枢着され、第１後レバーの下端が第２後脚の予定位置に枢着され、第２後レバーの上端が第２スライドブロックに枢着され、第２後レバーの下端が第１後脚の予定位置に枢着される。【選択図】図１
0003163894.tif 000002
【実用新案登録請求の範囲】
【請求項１】
第１側に位置し、その底端に第１前輪が連接される第１前脚と、
第１側に位置し、その上端が前記第１前脚に枢着され、その底端に第１後輪が連接される第１後脚と、
第２側に位置し、その底端に第２前輪が連接される第２前脚と、
第２側に位置し、その上端が前記第２前脚に枢着され、その底端に第２後輪が連接される第２後脚と、
前記第１後脚に摺動可能に設けられ、第１位置と第２位置との間に移動可能である第１スライドブロックと、
前記第２後脚に摺動可能に設けられ、第１位置と第２位置との間に移動可能である第２スライドブロックと、
第１後レバーと、第２後レバーと、を含み、前記第１後レバーの上端が前記第１スライドブロックに枢着され、前記第１後レバーの下端が前記第２後脚の予定位置に枢着され、前記第２後脚の前記予定位置は前記第２スライドブロックと前記第２後脚との間に位置し、前記第２後レバーの上端が前記第２スライドブロックに枢着され、前記第２後レバーの下端が前記第１後脚の予定位置に枢着され、前記第１後脚の前記予定位置は前記第１スライドブロックと前記第１後輪との間に位置する後レバー組と、
第１前レバーと、第２前レバーと、を含み、前記第１前レバーの後端が前記第１スライドブロックに枢着され、前記第１前レバーの前端が前記第２前脚に枢着され、前記第２前レバーの後端が前記第２スライドブロックに枢着され、前記第２前レバーの前端が前記第１前脚に枢着される前レバー組と、
その前端が前記第１前脚に枢着され、その後端が前記第１スライドブロックに枢着される第１連接ロッドと、
その前端が前記第２前脚に枢着され、その後端が前記第２スライドブロックに枢着される第２連接ロッドと、
を含む折畳み可能なベビーカーにおいて、
前記第１スライドブロックと前記第２スライドブロックとがそれぞれの第１位置に摺動するときには、前記第１スライドブロックと前記第２スライドブロックとにより、前記後レバー組と前記前レバー組とが集められて、前記第１前脚と前記第２前脚とが互いに近接し、前記第１後脚と前記第２後脚とも互いに近接し、且つ前記第１連接ロッドと前記第２連接ロッドとが旋回して、前記第１後輪が前記第１前輪に近接し、前記第２後輪が前記第２前輪に近接し、
前記第１スライドブロックと前記第２スライドブロックとがそれぞれの第２位置に摺動するときには、前記第１スライドブロックと前記第２スライドブロックとにより、前記後レバー組と前記前レバー組とが展開されて、前記第１前脚と前記第２前脚とが互いに分離し、前記第１後脚と前記第２後脚とも互いに分離し、且つ前記第１連接ロッドと前記第２連接ロッドとが旋回して、前記第１後輪が前記第１前輪から離れ、前記第２後輪が前記第２前輪から離れることを特徴とする、折畳み可能なベビーカー。
【請求項２】
更に、引き具を含み、前記引き具は、連結ブロックと、二つの連結ユニットと、握り部と、を含み、前記二つの連結ユニットは、一端が前記連結ブロックに枢着され、他端が前記第１後レバーと前記第２後レバーとにそれぞれ枢着され、前記握り部は、前記連結ブロックに枢着され、ほぼ水平である回転軸を中心として旋回して折畳み可能であり、前記握り部を上に引くときには、前記第１スライドブロックと前記第２スライドブロックとが連動されてそれぞれの第１位置に摺動することを特徴とする、請求項１に記載の折畳み可能なベビーカー。
【請求項３】
更に、定位具を含み、前記定位具は、二つの定位ユニットと、定位用片状バネと、を含み、前記二つの定位ユニットは、一端が互いに枢着し、他端が前記第１後脚と前記第２後脚とにそれぞれ枢着され、前記定位用片状バネは前記二つの定位ユニットのうちの一つに設けられ、前記二つの定位ユニットがほぼ一直線に位置するときには、前記定位用片状バネが別の前記定位ユニットと係止し、このとき、前記第１スライドブロックと前記第２スライドブロックとがそれぞれの第２位置に位置することを特徴とする、請求項１に記載の折畳み可能なベビーカー。
【請求項４】
更に、二つの制動ブロックと、連動具と、を含み、前記二つの制動ブロックは前記第１後輪と前記第２後輪とにそれぞれ設けられ、前記各制動ブロックは、制動端と、制御端と、前記制動端に位置する偏心軸と、を有し、前記二つの制動ブロックが前記偏心軸に沿って下に旋回するときには、前記制動端がそれぞれ前記第１後輪および前記第２後輪と摩擦し、前記連動具は二つの連動ユニットを有し、前記二つの連動ユニットは、一端が互いに枢着し、他端がそれぞれ前記二つの制動ブロックの前記制御端と連接し、前記二つの制動ブロックが互いに連動することを特徴とする、請求項３に記載の折畳み可能なベビーカー。
【請求項５】
前記連動具は、更に、連動バンドを有し、前記連動バンドは、一端が前記二つの定位ユニットの間に連接され、他端が前記二つの連動ユニットの間に連接され、前記第１スライドブロックと前記第２スライドブロックとがそれぞれの第１位置に移動するときには、前記連動バンドが前記定位具に引かれて前記二つの連動ユニットが集めるようになることを特徴とする、請求項４に記載の折畳み可能なベビーカー。
【請求項６】
前記第１後脚と前記第２後脚とのうちの少なくとも一つに第１係止ユニットが設けられ、前記第１スライドブロックと前記第２スライドブロックとのうちの少なくとも一つには、前記第１係止ユニットに対応する第２係止ユニットが設けられ、前記第１スライドブロックと前記第２スライドブロックとがそれぞれの第２位置に位置するときには、前記第１係止ユニットと前記第２係止ユニットとが互いに係止することを特徴とする、請求項１に記載の折畳み可能なベビーカー。
【請求項７】
前記第１後脚と前記第２後脚とのうちの少なくとも一つに第１係止ユニットが二つ設けられ、前記第１スライドブロックと前記第２スライドブロックとのうちの少なくとも一つには、前記第１係止ユニットに対応する第２係止ユニットが設けられ、前記第１スライドブロックと前記第２スライドブロックとがそれぞれの第１位置または第２位置に位置するときには、前記第２係止ユニットが前記二つの第１係止ユニットのうちの一つと係止することを特徴とする、請求項１に記載の折畳み可能なベビーカー。
【請求項８】
前記第１スライドブロックと前記第２スライドブロックとのうちの少なくとも一つにスイッチが設けられ、前記スイッチを押圧すると、前記第１係止ユニットと前記第２係止ユニットとの係止が解除され、前記第１スライドブロックが前記第１後脚に対して摺動自在になり、且つ前記第２スライドブロックが前記第２後脚に対して摺動自在になることを特徴とする、請求項６または請求項７に記載の折畳み可能なベビーカー。
【考案の詳細な説明】
【技術分野】
【０００１】
本考案は、折畳み可能なベビーカーに関するものである。
【背景技術】
【０００２】
ベビーカーは赤ちゃんを乗せて自在に移動可能なものであり、ベビーカーにより大人の赤ちゃんを抱える苦労を低減することができる。
【０００３】
ベビーカーの収納および携帯を便利にするために、一部のベビーカーが折畳み可能であり、例えば、特許文献１のベビーカーは、前脚のＡ、Ｂ部分（当該文献の図２参照）が湾折可能であるため、体積を減少できる。しかし、湾折可能な関節が多いほど、部品の点数も増加するため、組付作業が複雑になり、且つ湾折可能な関節が多すぎると、ベビーカーの折畳みが困難になる。
【０００４】
上記の問題を解決するために、特許文献２のベビーカーが提案された。このようなベビーカーは、後脚と前脚との連接箇所にスライドブロックが設けられ、これにより、前記後脚を前記前脚に対して摺動可能であり、後輪と前輪とを集めることができる。一方、特許文献３のベビーカーも提案された。このようなベビーカーは、摺動手段が後脚に設けられ、二つの前記後脚の前記摺動手段の間には、四つのレバーから構成されるレバー組が設けられ、前記レバー組のうちの二つのレバーの自由端は、前記摺動手段に枢着され、前記摺動手段と共に下に旋回可能であり、これにより、二つの前記後脚を集めることができる。  
【先行技術文献】
【特許文献】
【０００５】
【特許文献１】台湾特許第４６５５０８号公報
【特許文献２】米国特許第６８１１１７８号明細書
【特許文献３】米国特許第６４２８０３４号明細書
【考案の概要】
【考案が解決しようとする課題】
【０００６】
そこで、本考案の主な目的は、ベビーカーの展開および集めが容易で快速になる折畳み可能なベビーカーを提供することにある。
【課題を解決するための手段】
【０００７】
本考案の折畳み可能なベビーカーによると、第１側に位置し、その底端に第１前輪が連接される第１前脚と、第１側に位置し、その上端が前記第１前脚に枢着され、その底端に第１後輪が連接される第１後脚と、第２側に位置し、その底端に第２前輪が連接される第２前脚と、第２側に位置し、その上端が前記第２前脚に枢着され、その底端に第２後輪が連接される第２後脚と、前記第１後脚に摺動可能に設けられ、第１位置と第２位置との間に移動可能である第１スライドブロックと、前記第２後脚に摺動可能に設けられ、第１位置と第２位置との間に移動可能である第２スライドブロックと、第１後レバーと、第２後レバーと、を含み、前記第１後レバーの上端が前記第１スライドブロックに枢着され、前記第１後レバーの下端が前記第２後脚の予定位置に枢着され、前記第２後脚の前記予定位置は前記第２スライドブロックと前記第２後脚との間に位置し、前記第２後レバーの上端が前記第２スライドブロックに枢着され、前記第２後レバーの下端が前記第１後脚の予定位置に枢着され、前記第１後脚の前記予定位置は前記第１スライドブロックと前記第１後輪との間に位置する後レバー組と、第１前レバーと、第２前レバーと、を含み、前記第１前レバーの後端が前記第１スライドブロックに枢着され、前記第１前レバーの前端が前記第２前脚に枢着され、前記第２前レバーの後端が前記第２スライドブロックに枢着され、前記第２前レバーの前端が前記第１前脚に枢着される前レバー組と、その前端が前記第１前脚に枢着され、その後端が前記第１スライドブロックに枢着される第１連接ロッドと、その前端が前記第２前脚に枢着され、その後端が前記第２スライドブロックに枢着される第２連接ロッドと、を含む折畳み可能なベビーカーにおいて、前記第１スライドブロックと前記第２スライドブロックとがそれぞれの第１位置に摺動するときには、前記第１スライドブロックと前記第２スライドブロックとにより、前記後レバー組と前記前レバー組とが集められて、前記第１前脚と前記第２前脚とが互いに近接し、前記第１後脚と前記第２後脚とも互いに近接し、且つ前記第１連接ロッドと前記第２連接ロッドとが旋回して、前記第１後輪が前記第１前輪に近接し、前記第２後輪が前記第２前輪に近接し、前記第１スライドブロックと前記第２スライドブロックとがそれぞれの第２位置に摺動するときには、前記第１スライドブロックと前記第２スライドブロックとにより、前記後レバー組と前記前レバー組とが展開されて、前記第１前脚と前記第２前脚とが互いに分離し、前記第１後脚と前記第２後脚とも互いに分離し、且つ前記第１連接ロッドと前記第２連接ロッドとが旋回して、前記第１後輪が前記第１前輪から離れ、前記第２後輪が前記第２前輪から離れることを特徴とする。
【０００８】
本考案の折畳み可能なベビーカーによると、更に、引き具を含み、前記引き具は、連結ブロックと、二つの連結ユニットと、握り部と、を含み、前記二つの連結ユニットは、一端が前記連結ブロックに枢着され、他端が前記第１後レバーと前記第２後レバーとにそれぞれ枢着され、前記握り部は、前記連結ブロックに枢着され、ほぼ水平である回転軸を中心として旋回して折畳み可能であり、前記握り部を上に引くときには、前記第１スライドブロックと前記第２スライドブロックとが連動されてそれぞれの第１位置に摺動することを特徴とする。
【０００９】
本考案の折畳み可能なベビーカーによると、更に、定位具を含み、前記定位具は、二つの定位ユニットと、定位用片状バネと、を含み、前記二つの定位ユニットは、一端が互いに枢着し、他端が前記第１後脚と前記第２後脚とにそれぞれ枢着され、前記定位用片状バネは前記二つの定位ユニットのうちの一つに設けられ、前記二つの定位ユニットがほぼ一直線に位置するときには、前記定位用片状バネが別の前記定位ユニットと係止し、このとき、前記第１スライドブロックと前記第２スライドブロックとがそれぞれの第２位置に位置することを特徴とする。
【００１０】
本考案の折畳み可能なベビーカーによると、更に、二つの制動ブロックと、連動具と、を含み、前記二つの制動ブロックは前記第１後輪と前記第２後輪とにそれぞれ設けられ、前記各制動ブロックは、制動端と、制御端と、前記制動端に位置する偏心軸と、を有し、前記二つの制動ブロックが前記偏心軸に沿って下に旋回するときには、前記制動端がそれぞれ前記第１後輪および前記第２後輪と摩擦し、前記連動具は二つの連動ユニットを有し、前記二つの連動ユニットは、一端が互いに枢着し、他端がそれぞれ前記二つの制動ブロックの前記制御端と連接し、前記二つの制動ブロックが互いに連動することを特徴とする。
【００１１】
本考案の折畳み可能なベビーカーによると、前記連動具は、更に、連動バンドを有し、前記連動バンドは、一端が前記二つの定位ユニットの間に連接され、他端が前記二つの連動ユニットの間に連接され、前記第１スライドブロックと前記第２スライドブロックとがそれぞれの第１位置に移動するときには、前記連動バンドが前記定位具に引かれて前記二つの連動ユニットが集めるようになることを特徴とする。
【００１２】
本考案の折畳み可能なベビーカーによると、前記第１後脚と前記第２後脚とのうちの少なくとも一つに第１係止ユニットが設けられ、前記第１スライドブロックと前記第２スライドブロックとのうちの少なくとも一つには、前記第１係止ユニットに対応する第２係止ユニットが設けられ、前記第１スライドブロックと前記第２スライドブロックとがそれぞれの第２位置に位置するときには、前記第１係止ユニットと前記第２係止ユニットとが互いに係止することを特徴とする。
【００１３】
本考案の折畳み可能なベビーカーによると、前記第１後脚と前記第２後脚とのうちの少なくとも一つに第１係止ユニットが二つ設けられ、前記第１スライドブロックと前記第２スライドブロックとのうちの少なくとも一つには、前記第１係止ユニットに対応する第２係止ユニットが設けられ、前記第１スライドブロックと前記第２スライドブロックとがそれぞれの第１位置または第２位置に位置するときには、前記第２係止ユニットが前記二つの第１係止ユニットのうちの一つと係止することを特徴とする。
【００１４】
本考案の折畳み可能なベビーカーによると、前記第１スライドブロックと前記第２スライドブロックとのうちの少なくとも一つにスイッチが設けられ、前記スイッチを押圧すると、前記第１係止ユニットと前記第２係止ユニットとの係止が解除され、前記第１スライドブロックが前記第１後脚に対して摺動自在になり、且つ前記第２スライドブロックが前記第２後脚に対して摺動自在になることを特徴とする。
【考案の効果】
【００１５】
本考案の折畳み可能なベビーカーによれば、ベビーカーの展開および集めが容易で快速になるという効果を有する。
【図面の簡単な説明】
【００１６】
【図１】本考案の一実施例の斜視図である。
【図２】本考案の一実施例の側面図である。
【図３】本考案の一実施例の一部の部品の背面図であって、第１スライドブロックと第２スライドブロックが第１位置に位置している場合を示すものである。
【図４】本考案の一実施例の一部の部品の背面図であって、第１スライドブロックと第２スライドブロックが第２位置に位置している場合を示すものである。
【考案を実施するための形態】
【００１７】
以下、本考案の実施の形態を図面に基づいて説明する。
まず、図１及び図２を参照する。本考案の一実施例の折畳み可能なベビーカーは、第１側と、第２側と、を有する。このようなベビーカーは、第１前脚１０ａと、第１後脚２０ａと、第２前脚１０ｂと、第２後脚２０ｂと、第１スライドブロック３０ａと、第２スライドブロック３０ｂと、後レバー組と、前レバー組と、第１連接ロッド６０ａと、第２連接ロッド６０ｂと、引き具と、定位具と、制動ブロック９０ａ、９０ｂと、連動具と、を含む。
【００１８】
第１前脚１０ａは、第１側に位置し、その底端に第１前輪１１ａが連接される。第２前脚１０ｂは、第２側に位置し、その底端に第２前輪１１ｂが連接される。第１前脚１０ａと第２前脚１０ｂとの上端に握りスリーブが嵌め設けられる。第１前脚１０ａと第２前脚１０ｂとの間には、赤ちゃんのベビーカーからの落ちを防止するための保護ロッドが設けられる。
【００１９】
第１後脚２０ａは、第１側に位置し、その上端が第１前脚１０ａに枢着され、その底端に第１後輪２１ａが連接される。第２後脚２０ｂは、第２側に位置し、その上端が第２前脚１０ｂに枢着され、その底端に第２後輪２１ｂが連接される。
【００２０】
第１スライドブロック３０ａは、第１後脚２０ａに摺動可能に設けられ、第１位置と第２位置との間に移動可能である。第２スライドブロック３０ｂは、第２後脚２０ｂに摺動可能に設けられ、第１位置と第２位置との間に移動可能である。
【００２１】
後レバー組は、第１後レバー４０ａと、第２後レバー４０ｂと、を含む。第１後レバー４０ａの上端が第１スライドブロック３０ａに枢着され、第１後レバー４０ａの下端が第２後脚２０ｂの予定位置に枢着され、第２後脚２０ｂの前記予定位置は第２スライドブロック３０ｂと第２後脚２０ｂとの間に位置する。第２後レバー４０ｂの上端が第２スライドブロック３０ｂに枢着され、第２後レバー４０ｂの下端が第１後脚２０ａの予定位置に枢着され、第１後脚２０ａの前記予定位置は第１スライドブロック３０ａと第１後輪２１ａとの間に位置する。第１後レバー４０ａと第２後レバー４０ｂとは、互いに交差し、その中段が互いに枢着する。
【００２２】
前レバー組は、第１前レバー５０ａと、第２前レバー５０ｂと、を含む。第１前レバー５０ａの後端が第１スライドブロック３０ａに枢着され、第１前レバー５０ａの前端が第２前脚１０ｂに枢着される。第２前レバー５０ｂの後端が第２スライドブロック３０ｂに枢着され、第２前レバー５０ｂの前端が第１前脚１０ａに枢着される。第１前レバー５０ａと第２前レバー５０ｂとは、互いに交差し、その中段が互いに枢着する。
【００２３】
第１連接ロッド６０ａは、その前端が第１前脚１０ａに枢着され、その後端が第１スライドブロック３０ａに枢着される。第２連接ロッド６０ｂは、その前端が第２前脚１０ｂに枢着され、その後端が第２スライドブロック３０ｂに枢着される。
【００２４】
前記引き具は、連結ブロック７１と、二つの連結ユニット７２と、握り部７３と、を含む。二つの連結ユニット７２は、一端が連結ブロック７１に枢着され、他端が第１後レバー４０ａと第２後レバー４０ｂとにそれぞれ枢着される。握り部７３は、連結ブロック７１に枢着され、ほぼ水平である回転軸を中心として旋回して折畳み可能である。握り部７３を上に引くときには、第１スライドブロック３０ａと第２スライドブロック３０ｂとが連動されてそれぞれの第１位置に摺動する。
【００２５】
前記定位具は、定位ユニット８１ａ、８１ｂと、定位用片状バネ８２と、を含む。定位ユニット８１ａ、８１ｂは、一端が互いに枢着し、他端が第１後脚２０ａと第２後脚２０ｂとにそれぞれ枢着される。定位用片状バネ８２は定位ユニット８１ａに設けられ、定位ユニット８１ａ、８１ｂがほぼ一直線に位置するときには、定位用片状バネ８２が定位ユニット８１ｂと係止し、このとき、第１スライドブロック３０ａと第２スライドブロック３０ｂとがそれぞれの第２位置に位置する。
【００２６】
制動ブロック９０ａ、９０ｂは、第１後輪２１ａと第２後輪２１ｂとにそれぞれ設けられる。各制動ブロックは、制動端と、制御端と、制動端に位置する偏心軸と、を有する。制動ブロック９０ａ、９０ｂが前記偏心軸に沿って下に旋回するときには、前記制動端がそれぞれ第１後輪２１ａおよび第２後輪２１ｂと摩擦して制動することができる。
【００２７】
前記連動具は連動ユニット１０１ａ、１０１ｂを有する。連動ユニット１０１ａ、１０１ｂは、一端が互いに枢着し、他端がそれぞれ制動ブロック９０ａ、９０ｂの前記制御端と連接する。これにより、制動ブロック９０ａ、９０ｂが互いに連動する。前記連動具は、更に、連動バンド１０２を有することが好ましい。連動バンド１０２は、一端が定位ユニット８１ａ、８１ｂの間に連接され、他端が連動ユニット１０１ａ、１０１ｂの間に連接される。第１スライドブロック３０ａと第２スライドブロック３０ｂとがそれぞれの第１位置に移動するときには、連動バンド１０２が前記定位具に引かれて連動ユニット１０１ａ、１０１ｂが集めるようになる
【００２８】
図３を参照する。第１スライドブロック３０ａと第２スライドブロック３０ｂとがそれぞれの第１位置に摺動するときには、第１スライドブロック３０ａと第２スライドブロック３０ｂとにより、前記後レバー組と前記前レバー組とが集められて、第１前脚１０ａと第２前脚１０ｂとが互いに近接し、第１後脚２０ａと第２後脚２０ｂとも互いに近接し、且つ第１連接ロッド６０ａと第２連接ロッド６０ｂとが旋回して、第１後輪２１ａが第１前輪１１ａに近接し、第２後輪２１ｂが第２前輪１１ｂに近接する。このとき、本考案の折畳み可能なベビーカーが折畳んだ状態にあり、収納や輸送が便利になる。
【００２９】
また、図１及び図４を参照する。第１スライドブロック３０ａと第２スライドブロック３０ｂとがそれぞれの第２位置に摺動するときには、第１スライドブロック３０ａと第２スライドブロック３０ｂとにより、前記後レバー組と前記前レバー組とが展開されて、第１前脚１０ａと第２前脚１０ｂとが互いに分離し、第１後脚２０ａと第２後脚２０ｂとも互いに分離し、且つ第１連接ロッド６０ａと第２連接ロッド６０ｂとが旋回して、第１後輪２１ａが第１前輪１１ａから離れ、第２後輪２１ｂが第２前輪１１ｂから離れる。このとき、本考案の折畳み可能なベビーカーが展開された状態にあり、押して移動することができる。
【００３０】
第１スライドブロック３０ａと第２スライドブロック３０ｂとをそれぞれの第２位置に定位するために、第１後脚２０ａと第２後脚２０ｂとのうちの少なくとも一つに第１係止ユニット（図示せず）が設けられ、第１スライドブロック３０ａと第２スライドブロック３０ｂとのうちの少なくとも一つには、前記第１係止ユニットに対応する第２係止ユニット（図示せず）が設けられ、これにより、第１スライドブロック３０ａと第２スライドブロック３０ｂとがそれぞれの第２位置に位置するときには、前記第１係止ユニットと前記第２係止ユニットとが互いに係止し、第１スライドブロック３０ａと第２スライドブロック３０ｂとが定位される。一方、第１後脚２０ａと第２後脚２０ｂとのうちの少なくとも一つに二つの前記第１係止ユニットを設けてもよく、これにより、第１スライドブロック３０ａと第２スライドブロック３０ｂとがそれぞれの第１位置または第２位置に位置するときには、前記第２係止ユニットが前記二つの第１係止ユニットのうちの一つと係止する。また、操作を便利にするために、第１スライドブロック３０ａと第２スライドブロック３０ｂとのうちの少なくとも一つにスイッチが設けられ、前記スイッチを押圧すると、前記第１係止ユニットと前記第２係止ユニットとの係止が解除され、第１スライドブロック３０ａが第１後脚２０ａに対して摺動自在になり、且つ第２スライドブロック３０ｂが第２後脚２０ｂに対して摺動自在になる。
【００３１】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００３２】
本考案は、ベビーカーに適用することができる。
【符号の説明】
【００３３】
１０ａ：第１前脚、１０ｂ：第２前脚、１１ａ：第１前輪、１１ｂ：第２前輪、２０ａ：第１後脚、２０ｂ：第２後脚、２１ａ：第１後輪、２１ｂ：第２後輪、３０ａ：第１スライドブロック、３０ｂ：第２スライドブロック、４０ａ：第１後レバー、４０ｂ：第２後レバー、５０ａ：第１前レバー、５０ｂ：第２前レバー、６０ａ：第１連接ロッド、６０ｂ：第２連接ロッド、７１：連結ブロック、７２：連結ユニット、７３：握り部、８１ａ，８１ｂ：定位ユニット、８２：定位用片状バネ、９０ａ，９０ｂ：制動ブロック、１０１ａ，１０１ｂ：連動ユニット、１０２：連動バンド。
【図１】
0003163894.tif 000003
【図２】
0003163894.tif 000004
【図３】
0003163894.tif 000005
【図４】
0003163894.tif 000006